(57)【要約】      （修正有）【課題】偽造を判別するためのラベルが貼着されていることを認識し難くし、かつ、そのような偽造を判別した行為自体を認識し難くする偽造判別用ラベルを提供する。【解決手段】隠し印刷層１３を有する下層ラベル１０の外面側に、光不透過性の基材２１に微粘着層２２を設けてなる上層ラベル２０を貼着してなる偽造判別用ラベルであって、下層ラベル基材１１が内面に強粘着剤層１２を有し外面に隠し印刷層を有するか、下層ラベル基材が、外面に光透過性フィルムをラミネートした複数の層から構成され、内面側に強粘着剤層を有し、上記光透過性フィルムのラミネート接着面に隠し印刷層を有するか、下層ラベル基材が、光透過性フィルムからなり、内面に隠し印刷層と該隠し印刷層上に強粘着剤層を有する偽造判別用ラベル。【選択図】図１
2004252247.tif 000002
【特許請求の範囲】
【請求項１】
隠し印刷層を有する下層ラベルの外面側に、光不透過性基材に微粘着層を設けてなる上層ラベルを貼着してなる偽造判別用ラベルであって、上記下層ラベル基材は、内面に強粘着層を有し外面に隠し印刷層を有することを特徴とする偽造判別用ラベル。
【請求項２】
隠し印刷層を有する下層ラベルの外面側に、光不透過性基材に微粘着層を設けてなる上層ラベルを貼着してなる偽造判別用ラベルであって、上記下層ラベル基材は、外面に光透過性フィルムをラミネートした複数の層から構成され、内面側に強粘着層を有し、上記光透過性フィルムのラミネート接着面に隠し印刷層を有することを特徴とする偽造判別用ラベル。
【請求項３】
隠し印刷層を有する下層ラベルの外面側に、光不透過性基材に微粘着層を設けてなる上層ラベルを貼着してなる偽造判別用ラベルであって、上記下層ラベル基材は、光透過性フィルムからなり、内面に隠し印刷層と該隠し印刷層上に強粘着層を有することを特徴とする偽造判別用ラベル。
【請求項４】
上層ラベルの光不透過性基材の外面に第２の隠し印刷層を有し、該第２の隠し印刷層上に、光不透過性基材に微粘着層を設けてなる第２の上層ラベルを貼着してなる請求項１ないし３いずれか記載の偽造判別用ラベル。
【請求項５】
隠し印刷層が、紫外線または可視光の照射により印刷情報が判別できるものである請求項１ないし４いずれか記載の偽造判別用ラベル。
【発明の詳細な説明】
【０００１】
【産業上の利用分野】
本発明は、商品又は商品パッケージに貼着し、商品が偽造されたのかを判別し得る偽造判別用ラベルに関し、さらに詳細には、そのような判別するためのラベルが貼着されていることを認識し難くし、かつ、そのような偽造を判別した行為自体を認識し難くする偽造判別用ラベルに関する。
【０００２】
【従来の技術】
従来、いろいろなタイプの偽造防止用ラベルが開発され、実用に供されている。例えば、特許文献１には、商品に貼着されて使用されるラベルであって、不透明基紙の裏面に、蛍光物質を含むインクを用いた文字、図形または記号等の隠しマークが印刷されていることを特徴とし、粘着剤層側より紫外線を照射することによって初めて隠しマークが発光する真正商品の判別機能付ラベルが開示されている。上記のラベルは、隠しマークを検出するのにラベルを剥離しなければならないが、剥離したラベルは再使用することは出来ず、またラベル自体を剥離してしまっては真正商品の判別も不可能となるという欠点があった。。
【０００３】
【特許文献１】特開平４−２２３４９１号公報
【０００４】
【発明が解決しようとする課題】
本発明は、偽造を判別するためのラベルが貼着されていることを認識し難くし、かつ、そのような偽造を判別した行為自体を認識し難くする偽造判別用ラベルを提供する。
【０００５】
【課題を解決するための手段】
すなわち、本発明は、隠し印刷層を有する下層ラベルの外面側に、光不透過性基材に微粘着層を設けてなる上層ラベルを貼着してなる偽造判別用ラベルであって、上記下層ラベル基材は、内面に強粘着層を有し外面に隠し印刷層を有することを特徴とする偽造判別用ラベルに関する。
【０００６】
更に本発明は、隠し印刷層を有する下層ラベルの外面側に、光不透過性基材に微粘着層を設けてなる上層ラベルを貼着してなる偽造判別用ラベルであって、上記下層ラベル基材は、外面に光透過性フィルムをラミネートした複数の層から構成され、内面側に強粘着層を有し、上記光透過性フィルムのラミネート接着面に隠し印刷層を有することを特徴とする偽造判別用ラベルに関する。
【０００７】
更に本発明は、隠し印刷層を有する下層ラベルの外面側に、光不透過性基材に微粘着層を設けてなる上層ラベルを貼着してなる偽造判別用ラベルであって、上記下層ラベル基材は、光透過性フィルムからなり、内面に隠し印刷層と該隠し印刷層上に強粘着層を有することを特徴とする偽造判別用ラベルに関する。
【０００８】
更に本発明は、上層ラベルの光不透過性基材の外面に第２の隠し印刷層を有し、該第２の隠し印刷層上に、光不透過性基材に微粘着層を設けてなる第２の上層ラベルを貼着してなる上記偽造判別用ラベルに関する。
【０００９】
更に本発明は、隠し印刷層が、紫外線または可視光の照射により印刷情報が判別できるものである上記偽造判別用ラベルに関する。
【００１０】
【発明の実施の形態】
以下、本発明を図面に基づいて説明する。図１と図２は、請求項１に係る発明の一実施態様を示すものであり、図３は請求項２に係る発明の一実施態様を示すものであり、図４は請求項３に係る発明の一実施態様を示すものであり、図５は請求項４に係る発明の一実施態様を示すものである。下層ラベル１０は、下層ラベル基材１１の内面側に強粘着層１２を有し、隠し印刷層１３を有している。上層ラベル２０は、光不透過性の基材２１の内面側に微粘着層２２を有している。場合によっては、上層ラベル２０の外面に第２の隠し印刷層１４を設け、その上に第２の上層ラベル５０を貼付してもよい。
【００１１】
本発明の下層ラベル基材１１は、５〜５０μｍのポリエステルフィルム、ポリプロピレンフィルム等のプラスチックフィルム、またはこれらのフィルム基材をラミネートしたラミネートフィルム又は紙等がある。
【００１２】
本発明における強粘着層１２とは、被着体４０との間に、微粘着層２２と基材１１間との接着力よりも強い接着力を生じさせるものであり、ラベル全体を被着体４０に強く接着して被着体４０から剥がれにくくし、無理に剥離しようとすれば場合によってはラベルの破損や糊残りが生じ、剥離したラベルを再び貼付することが困難であるという性質を備えている。このような強粘着剤は、アクリル系、ゴム系等の粘着剤として公知である、又、強粘着剤の中に紫外線発光材料を配合しておけば、万が一ラベルを剥がされた場合でも被貼着体に残った糊を検出することで、あるいは糊残りしている部分に紫外線を照射し、発光を確認することでラベルが貼着されていたことを証明することができる。
【００１３】
本発明の隠し印刷層１３は、基材１１の上面に印刷してもよいし、基材１１が光透過性であれば下面に印刷してもよい。又、基材１１が光透過性プラスチックフィルム１４と他のフィルム１５のラミネートであればラミネート面に印刷してもよい。
【００１４】
本発明の隠し印刷層１３を形成するインキは、肉眼では印刷された情報が判別できないが、紫外線を照射したり、環境温度を変化させることにより印刷情報が認知できるもの、視覚以外の感覚により情報が検知できるもの、又は、上層ラベル２０を剥離した直後は印刷情報が認知できないが可視光を照射したり、試薬に接触させることで印刷情報を認知できるようなものである。このような目的には、例えば、蛍光インキ、蓄光インキ、示温インキ、香料インキ等が用いられる。隠し印刷層１３に上記機能を持たすため、蛍光染料、ロイコ染料、香料等を適宜配合する。隠し印刷層１３を形成するのに使用される印刷方式としては、グラビア印刷、オフセット印刷、フレキソ印刷、シルクスクリーン印刷、インクジェット印刷等がある。隠し印刷層１３を施す基材表面には肉眼で認識可能な印刷を、隠し印刷の検出に不都合がないように施しておくことが好ましい。又、隠し印刷層１３を記載１１の外面に設ける場合は、これと接触する微粘着層２２を剥離すると隠し印刷層１３が微粘着層２２に転移してしまう場合があるが、上層ラベル２０が基材１１面再貼付できれば使用上差し支えない。
【００１５】
上層ラベル２０は下層ラベル１０と同様な基材を使用できるが、下層ラベル１０上に施された隠し印刷層１３を隠蔽するために光不透過性基材２１とすることが好ましい。このような光不透過性基材としては、紙であれば問題ないが、透明なプラスチックフィルムを使用するのであれば、不透明なインキ層やアルミニウム蒸着層を形成して不透明化処理をする。
【００１６】
上層ラベル２０の粘着層には再貼り機能性のある微粘着剤を使用する。このような、微粘着層２２を形成するための粘着剤としては、アクリル系、ウレタン系等の粘着剤を使用することができる。上層ラベルに上面には任意の印刷を施すことが好ましい。
【００１７】
本発明の偽造判別用ラベルは下層ラベル１０の強粘着層１２の表面に剥離紙３０を積層して使用することが好ましい。
【００１８】
本発明の偽造判別用ラベルは、商品を製造者が剥離紙３０を剥離し強粘着層１２を介して商品に貼付する。商品の流通過程の任意の段階で下層ラベル１０に施した隠し印刷層１３の情報を上層ラベル２０を剥離することでこの商品が真正品であることを確認した後、剥離した上層ラベル２０を再度下層ラベル１０に貼着して剥離前の状態に戻す。
【００１９】
又、上層ラベル１０の外面に第２の隠し印刷層１４を形成し、この上に第２の上層ラベル５０を貼付し、商品の流通過程の段階で最上層のラベルから剥離するようにすれば、商品に流通過程における偽造品の混入を管理することがより容易となる。
【００２０】
【発明の効果】
本発明の偽造判別用粘着ラベルは、２層ラベル構造の間に隠し印刷を施しているため、外見では通常のラベルと区別できないにも拘わらず、上層ラベルを剥離すると隠し印刷面が現れて、その情報を確認することで商品が真正なものかが判別できる。また印刷面を確認後、上層ラベルを再貼着可能に構成している為、偽造判別処理が行われていること自体を外部から判らないように隠しておきたい、更に偽造判別処理を確認後も確認したことをも判らないようにしておきたいと言う要請に対して優れた適性を具備し、これを商品に貼着することにより、被貼着物が真正品であることを証明するのに有効に利用し得る。又、このラベルを偽造しても隠し印刷層の有無を検出することによって容易に見分けることができるため、本発明の偽造判別用ラベルを貼着した商品が真正品であることを証明することが容易である。
【図面の簡単な説明】
【図１】本発明の偽造判別用ラベルの断面図
【図２】本発明の偽造判別用ラベルの使用状態を示す断面図
【図３】本発明の偽造判別用ラベルの他の実施態様を示す断面図
【図４】本発明の偽造判別用ラベルの他の実施態様を示す断面図
【図５】本発明の偽造判別用ラベルの他の実施態様を示す断面図
【符号の説明】
１０  下層ラベル
１１  下層ラベル基材
１２  強粘着層
１３  隠し印刷層
１４  第２の隠し印刷層
２０  上層ラベル
２１  光不透過性基材
２２  微粘着層
３０  剥離紙
４０  被着体
５０  第２の上層ラベル
【図１】
2004252247.tif 000003
【図２】
2004252247.tif 000004
【図３】
2004252247.tif 000005
【図４】
2004252247.tif 000006
【図５】
2004252247.tif 000007